(57)【要約】【課題】従来のアイデアル・カット・ダイヤモンドの明るさと輝きを、その大きさ(直径)は保持したまま、さらに明るく輝くダイヤモンドおよびダイヤモンド形状の宝飾品およびそのカット方法を提供する。【解決手段】ガードル２と、ガードル２の上部にテーブル５を備えたクラウン３が形成され、ガードル２の下部にパビリオン４を形成するダイヤモンド１やダイヤモンド形状の宝飾品であって、キューレット角は９８．５度、パビリオン角は４０．７５度、上部クラウンの角度は、これはガードル２近辺のダイヤモンド１のチップ（割れ）に対する強度等も考慮して、１９．００度から２７．００度の間、とする。【選択図】        図１
2009142455.tif 000002
【特許請求の範囲】
【請求項１】
ガードルと、ガードル上部にテーブルを備えたクラウンが形成され、ガードル下部にパビリオンを形成するダイヤモンドであって、
キューレット角は９８．５度、パビリオン角は４０．７５度、上部クラウンの角度は、これはガードル近辺のダイヤモンドのチップ（割れ）に対する強度等も考慮して、１９．００度から２７．００度の間としたことを特徴としたダイヤモンド。
【請求項２】
ガードルと、ガードル上部にテーブルを備えたクラウンが形成され、ガードル下部にパビリオンを形成するダイヤモンド形状の宝飾品であって、
キューレット角は９８．５度、パビリオン角は４０．７５度、上部クラウンの角度は、これはガードル近辺のダイヤモンド形状の宝飾品のチップ（割れ）に対する強度等も考慮して、１９．００度から２７．００度の間としたことを特徴としたダイヤモンド形状の宝飾品。
【請求項３】
アイデアル・カット・ダイヤモンドに対して、そのクラウンの肩を削り贅肉を取ることから始めて、クラウン角を低く削り、重さを落として、キューレット角は９８．５度、パビリオン角は４０．７５度、上部クラウンの角度は、これはガードル近辺のダイヤモンドのチップ（割れ）に対する強度等も考慮して、１９．００度から２７．００度の間としたダイヤモンドを得ることを特徴としたダイヤモンドのカット方法。
【請求項４】
アイデアル・カット・ダイヤモンドと同様な透明および、半透明の色石、貴石、半貴石のいずれかによるダイヤモンド形状の宝飾品に対して、そのクラウンの肩を削り贅肉を取ることから始めて、クラウン角を低く削り、重さを落として、キューレット角は９８．５度、パビリオン角は４０．７５度、上部クラウンの角度は、これはガードル近辺のダイヤモンド形状の宝飾品のチップ（割れ）に対する強度等も考慮して、１９．００度から２７．００度の間としたダイヤモンド形状の宝飾品を得ることを特徴としたダイヤモンド形状の宝飾品のカット方法。
【発明の詳細な説明】
【技術分野】
【０００１】
本発明は、天然ダイヤモンド、合成ダイヤモンド、透明および、半透明の色石、貴石、半貴石のいずれかによるダイヤモンド等の宝飾品の輝きに関し、輝きのある面積が増大したダイヤモンドおよびダイヤモンド形状の宝飾品およびそのカット方法に関するものである。
【背景技術】
【０００２】
一般的にダイヤモンドのカット方法及びダイヤモンドのプロポーションとしては、いわゆる５８面体のラウンドブリリアンカットによるダイヤモンドが著名であり公知になっている。
【０００３】
ラウンドブリリアンカットにカットされたダイヤモンドは５８面体であり、入射した光線が、底の部面で全反射を起こして、上部テーブル面５及びクラウン面３に戻り、外部へ放射して美しく輝くようになっており、放射した光がダイヤモンドを白く輝かせると同時に、分散し、虹の七色に変化する。
【０００４】
下記非特許文献１を初めとして、歴代の、ダイヤモンド設計の文献にもあるが、図４〜図６に示すように、一般的に５８面体のラウンドブリリアンカットのダイヤモンドは、ガードル２の上部にクラウン３が形成されると共に、ガードル２の下部にパビリオン４が形成される。
【非特許文献１】http://www.folds.net/diamond_girdle/index.html (Figure 2参照) Diamond Design：A Study of the Reflection and Refraction of Light in a Diamond by Marcel Tolkowsky as edited by Jasper Palsen and Diamond Girdles: How Adding a Girdle Changes Marcel Tolkowsky's Diamond Design by Jasper Paulsen
【０００５】
そして、クラウン３におけるテーブル５は八角形状に形成され、その八角形状の各辺にスター・ファセット６が形成され、各隣接するスター・ファセット６間にベゼル・ファセット７が形成され、更に、各隣接するベゼル・ファセット７間に対をなすアッパー・ガードル・ファセット８が形成され、３３面カットのクラウン３が形成されるのである。
【０００６】
パビリオン４は、図６に示したように、前記テーブル５の八角形状に対応するキール・ライン１０に沿って区画されており、各区画されたエリア内において、対をなすロウワー・ガードル・ファセット１１と、パビリオン・メイン・ファセット１２とで形成されると共に、底部中心部にキューレット１３が形成されて、２５面カットのパビリオン４が形成される。
【０００７】
そして、このダイヤモンド１のプロポーションは、クラウン３における３３面カットと、パビリオン４における２５面カットとによって、クラウン３に八角形状のテーブル５を備えた５８面カットとなるのである。なお、ガードル２は、図４に示したように、アッパー・ガードル・ファセット８と、ロウワー・ガードル・ファセット１１との形成によって、僅かではあるが、山と谷とを備えた形状になる。
【０００８】
図７に示すように、ガードル２の直径Ｌを１００％としたときに、アイデアルカット・ダイヤモンドの全体の高さＨは約６１％であり、クラウン３の高さＨ1 を約１６．２％に設定し、パビリオン４の高さＨ2 を約４３．１％に設定する。その内のガードル２の最大の幅Ｗを約１．２％に設定する。なお、この場合のテーブル５の径Ｌ1 は約５３％である。ガードル２の最大の幅Ｗ１は約２．５±５％に設定している。
【０００９】
そして、クラウン３とパビリオン４とのなす角度θは約７５  １／４°に設定し、その内のガードル２に対してクラウン３のなす角度θ1を約３４  １／２°に設定し、パビリオン４のなす角度θ2 を約４０  ３／４°に設定する。
【００１０】
このようにダイヤモンドの全体の高さ、クラウン３の高さ及び角度、更にはパビリオン４の深さ及び角度が夫々設定されると、パビリオン４の底部の角度θ5が約９８  １／２°に決定される。
【００１１】
なお、一般的に、研磨されたダイヤモンドの価値は、４Ｃ、即ち、Ｃａｒａｔ（重さ）、Ｃｌａｒｉｔｙ（透明度）、Ｃｏｌｏｕｒ（色）、及び、Ｃｕｔ（カット）で決定されている。
【００１２】
カットの評価方法は、ダイヤモンドのプロポーション、シンメトリー、ポリッシュ等を総合的に評価して、カットグレードとしてランク付けされており、このカットグレードは、消費者がダイヤモンドを購入する際の輝きと価格の一つの指標となっている。前記数値は、ダイヤモンドのカットのランク（クラス）により、下記表のように変動する。
【表１】
2009142455.tif 000003
【００１３】
１９１９年に発表された数学者M・トルコフスキー氏の論文Diamond Designで、５８面ラウンドブリリアント・カットの定義が発表され、これに基づいて、最も美しく輝くダイヤモンドは、トルコフスキー・カットまたはアメリカン・アイデアル・カットとして、世界中で、最も美しく輝くダイヤモンドとして愛されてきた。
【００１４】
ダイヤモンドの輝きを引き出すのは、経験と勘と科学に裏付けされた人間の技であり、音楽や絵画と同じ芸術であるとの信念からトルコフスキーの家系では、アメリカ・ニューヨークでラザール・キャプラン氏が、美の追求ではアフリカのカッツ氏とレボビクス氏が、正確無比なカットを探求し続け、遂に理想のカットを実現。「アイデアル=理想的な」の意味を持つIDEAL CUT DIAMOND、あるいはAMERICAN IDEALといわれる理想的なCUTのダイヤモンドが誕生したのである。
【００１５】
高性能コンピューター計測と熟練した職人による高いカッティング技術で仕上げたダイヤモンドは、上から入った光をすべて上に反射させ最高の輝きを演出する。
【発明の開示】
【発明が解決しようとする課題】
【００１６】
しかし、各国の学者、ダイヤモンド・カッター、あるいはダイヤモンドを販売現場で扱っている専門宝石商等から、５８面ラウンドブリリアント・カットで、アメリカン・アイデアル・カットは、中心部分のテーブルは輝くが、テーブルの外周から、ガードルに向かってゆく周囲のCrown（クラウン）の内部からの反射光が比較的弱いとの指摘がなされている。
【００１７】
本発明の目的は、従来のアイデアル・カットの弱点であった、暗かったクラウンが、クラウンからの放射光線を得て、より輝くダイヤモンド等を得ることができるダイヤモンドおよびダイヤモンド形状の宝飾品およびそのカット方法を提供することにある。
【課題を解決するための手段】
【００１８】
本発明は前記目的を達成するため、ダイヤモンドまたはダイヤモンド形状の宝飾品としては、ガードルと、ガードル上部にテーブルを備えたクラウンが形成され、ガードル下部にパビリオンを形成するダイヤモンドまたはダイヤモンド形状の宝飾品であって、キューレット角は９８．５度、パビリオン角は４０．７５度、上部クラウンの角度は、これはガードル２近辺のダイヤモンドのチップ（割れ）に対する強度等を考慮して、１９．００度から２７．００度の間としたことを要旨とするものである。
【００１９】
また、ダイヤモンドおよびダイヤモンド形状の宝飾品のカット方法としては、アイデアル・カット・ダイヤモンドまたはダイヤモンド形状の宝飾品に対して、そのクラウンの肩を削り贅肉を取ることから始めて、クラウン角を低く削り、重さを落として、キューレット角は９８．５度、パビリオン角は４０．７５度、上部クラウンの角度はこれはガードル近辺のダイヤモンド等のチップ（割れ）に対する強度等を考慮して、１９．００度から２７．００度の間、であるダイヤモンドを得ることを要旨とするものである。
【００２０】
請求項１〜請求項４記載の本発明は、発明者の研究結果から、アイデアル・カットはクラウンから入射した光が、反対側のクラウンから有効に放射(以下C-to-Cと表示：Crown to Crown:クラウン入射してから、クラウン出射の光)していないことに着目したものである。
【００２１】
本発明によれば、アイデアル・カットでクラウンの角度を低くして、クラウンから入射した光が、反対側のクラウンから有効に放射できるようにした。
【００２２】
このC-to-C光に着目して、アイデアル・カットでの、C-to-C光を最も有効に取り出す原理から作られるダイヤモンド等は、周り、すなわちクラウンも強く輝くものとなる。
【００２３】
請求項３記載の本発明によれば、ダイヤモンド等は、単にクラウンの角度を低くして、削ってゆくだけなので、リカットの場合は、ガードルの直径は変わらない。原石の最大利用に関しても、すでに出来上がっているいかなるサイズのアイデアル・カットのルース・ダイヤモンドに関しても、ガードル直径は触らないので、テーブル上面から見たダイヤモンドの大きさは、例えば１ctの従来のアイデアル・カット・ダイヤモンドを、クラウン角を削って、９分に切り込んでも、その直径は全く同じである。従い上から見た場合は、大きさに関しては、区別が全くつかないものとなる。一つの例ではあるが、１ctの従来のアイデアル・カットも、本発明原理で削った９分のダイヤモンドも大きさは全く同じとなった。
【００２４】
請求項４記載の本発明によれば、前記請求項３と同様であるが、天然ダイヤモンドや合成ダイヤモンド以外の、ダイヤモンド形状の透明および、半透明の色石、貴石、半貴石についても、同じ作用・効果が得られる。
【発明の効果】
【００２５】
以上述べたように本発明のダイヤモンドおよびダイヤモンド形状の宝飾品およびそのカット方法は、従来のアイデアル・カットの弱点であった、暗かったクラウンが、放射光線を得て、より輝くダイヤモンド等を得ることができるものである。
【発明を実施するための最良の形態】
【００２６】
以下、図面について本発明のダイヤモンドおよびダイヤモンド形状の宝飾品およびそのカット方法を詳細に説明する。図１は本発明のダイヤモンドの説明図で、本発明のダイヤモンドも図４〜図７で説明したように、５８面体のラウンドブリリアンカットのダイヤモンドであり、ガードル２の上部にクラウン３が形成されると共に、ガードル２の下部にパビリオン４が形成される。
【００２７】
そして、クラウン３におけるテーブル５は八角形状に形成され、その八角形状の各辺にスター・ファセットが形成され、各隣接するスター・ファセット間にベゼルファセットが形成され、更に、各隣接するベゼルファセット間に対をなすアッパー・ガードル・ファセットが形成され、３３面カットのクラウン３が形成される。
【００２８】
パビリオン４は、図５に示したように、前記テーブル５の八角形状に対応するキール・ライン１０に沿って区画されており、各区画されたエリア内において、対をなすロウワー・ガードル・ファセット１１と、ロウワー・メイン・ファセット１２とが形成されると共に、底部中心部にキューレット１３が形成されて、２５面カットのパビリオン４が形成される。
【００２９】
そして、このダイヤモンド１のプロポーションは、クラウン３における３３面カットと、パビリオン４における２５面カットとによって、クラウン３に正八角形状のテーブル５を備えた５８面カットとなるのである。なお、ガードル２は、図４に示したように、アッパー・ガードル・ファセット８と、ロウワー・ガードル・ファセット１１との形成によって、僅かではあるが、山と谷とを備えた形状になる。さらに、キューレットはチップ(割れ)を防ぐために、従来は追加して全面58面で仕上げるが、本発明では、キューレット・バーストをより重要と考える場合は、これを磨かずに、全体に５７面に仕上げることもある。
【００３０】
本発明は、パビリオン４の底部の角度θ5 であるキューレット角は９８．５度、パビリオン４のなす角度θ2は４０．７５度、ガードル２に対してクラウン３のなす角度θ1である上部クラウンの角度はこれはガードル２近辺のダイヤモンド１のチップ(割れ)に対する強度等を考慮して、１９．００度から２７．００度の間であることとした。
【００３１】
クラウン３の角を浅くするとガードル２が割れる可能性が大きくなるので、１９．００度を安全圏とするものである。
【００３２】
本発明のダイヤモンド１はこのような形状とすることで、クラウン３から入射した光が、テーブル５に放射(C-to-T： Crown to Table: クラウン入射、内部反射してから、テーブル出射の光)する場合と、テーブル５から入射した光が、テーブル５に放射(T-to-T： Table to Table:テーブル入射,内部反射してからテーブル出射の光)する場合の他に、クラウン３から入射した光が、反対側のクラウン３から有効に放射(C-to-C： Crown to Crown: クラウン入射してから、クラウン出射の光)するものが得られる。
【００３３】
また、図３に示すようにテーブル５の半径と、クラウン３の幅を１：１にする場合は、テーブル５の面積１に対してクラウン３の面積は４倍となり、このため、この本発明のダイヤモンド１は、周り、すなわちクラウン３も強く輝く。
【００３４】
なお、図８は本発明のダイヤモンド以外の形状のダイヤモンドの場合であり、（Ａ）はパビリオン４が深いカットによる場合であり、クラウン入射の場合やテーブル入射の場合も共に洩れる（ＯＵＴ）。
【００３５】
図８（Ｂ）は、トルコフスキー・カットまたはアメリカン・アイデアル・カットの場合であり、T-to-T: (Table to Table: テーブル入射,内部反射してからテーブル出射の光）と、T-to-C:(Table to Crown: テーブル入射、内部反射してから、クラウン出射の光）はあるが、垂直光線の場合、C-to-C: (Crown to Crown: クラウン入射してから、クラウン出射の光）はない。
【００３６】
図８（Ｃ）は、パビリオン４が浅いカットによる場合であり、クラウン入射の場合やテーブル入射の場合も洩れる（ＯＵＴ）。
【００３７】
次に、このようなダイヤモンド１を得るダイヤモンドおよびそのカット方法の１例を述べる。
【００３８】
アイデアル・カット・ダイヤモンド１に対して、そのクラウン３の肩を削り贅肉を取ることから始めて、クラウン角を低く削り、重さを落として、キューレット角は９８．５度、パビリオン角は４０．７５度、上部クラウンの角度は、これはガードル近辺のダイヤモンド１のチップ（割れ）に対する強度等も考慮して、１９．００度から２７．００度の間とした。
【００３９】
クラウン３の角を浅くするとガードル２が割れる可能性が大きくなるので、１９．００度を安全圏として確保したものである。
【００４０】
従来からダイヤモンドは貴重品ゆえ、できるだけ重さ（カラット）を維持すべく、原石からの歩留まりが大切な関心事であった。美しさや輝きを多少犠牲にしても、例えば１ctに磨き上げられるダイヤモンド原石は、９分石との値段の大差から、無理しても１ctに切り上げてきた。
【００４１】
原石から、前記ダイヤモンド１をカット成形してもよいが、このようなきわどい、多少太ったアイデアル・カット・ダイヤモンドに対して、価格面を無視して、美に対する犠牲の精神から、そのクラウンの肩を削って贅肉を取ることから始めて、クラウン角を低く削り、重さを落として、放射実験をしたところ、アイデアル・カットのクラウンの角度（通常は３４．５度）を落とし始めると、上部へのC-to-C光が現れ始め、クラウンの角度を落とせば落とすほど(すなわち削れば削るほど)、この上部へ戻るC-to-C光が増加することが分かった。
【００４２】
本発明のダイヤモンド１は、単にクラウンの角度を低くして、削ってゆくだけなので、ガードルの直径は触らない。原石の最大利用に関しても、あるいはさらに、すでに出来上がっているいかなるサイズのアイデアル・カットのルース・ダイヤモンドに関しても、ガードル直径は触らないので、テーブル５の上面からの見たダイヤモンド１の大きさは、例えば１ctの従来のアイデアル・カット・ダイヤモンドを、本発明原理でクラウン角を削って、９分に切り込んでも、その直径は全く同じである。従い上から見た場合は、大きさに関しては、区別が全くつかない。一つの例ではあるが、１ctの従来のアイデアル・カットも、発明原理で削った９分のダイヤモンドも大きさは全く同じとなった。
【００４３】
このように、従来の大きさを保持したまま、軽く、さらに明るく輝くダイヤモンドが出来上がった。従い、従来の重さからの価格評価、すなわちキャラットでの値段評価の時代はここで終わったことを示唆している。
【００４４】
今後は、ダイヤモンドの大きさと価格評価は、従来の４Ｃ評価の内の、重さの単位のキャラットＣではなく、ＣＧＳ単位系の直径ｃｍまたはmmで評価すべきである。ダイヤモンドに関しては、太ったミロのビーナスの時代は本発明で終わりとなった。
【００４５】
図２は本発明の第２実施形態を示すもので、前記図1の第１実施形態の対象が、天然ダイヤモンド、合成ダイヤモンドでのダイヤモンド１であったのを、透明および、半透明の色石、貴石、半貴石のいずれかによるダイヤモンド形状の宝飾品１′とした。
【００４６】
他は全く前記図1の第１実施形態と同様であり、パビリオン４の底部の角度θ5 であるキューレット角は９８．５度、パビリオン４のなす角度θ2は４０．７５度、ガードル２に対してクラウン３のなす角度θ1である上部クラウンの角度はこれはガードル２近辺のダイヤモンド１のチップ(割れ)に対する強度等を考慮して、１９．００度から２７．００度の間であることとした。
【００４７】
１９．００度から２７．００度の間としたのは、クラウン３の角を浅くするとガードル２が割れる可能性が大きくなるので、１９．００度を安全圏とするものである。
【００４８】
さらに、ダイヤモンド形状の宝飾品１′のアイデアル・カット・ダイヤモンド形状の宝飾品１′に対して、そのクラウン３の肩を削り贅肉を取ることから始めて、クラウン角を低く削り、重さを落として、キューレット角は９８．５度、パビリオン角は４０．７５度、上部クラウンの角度は、これはガードル近辺のダイヤモンド１のチップ（割れ）に対する強度等も考慮して、１９．００度から２７．００度の間とする。
【００４９】
他の説明は前記第１実施形態と同様であるので省略する。
【図面の簡単な説明】
【００５０】
【図１】本発明のダイヤモンドの１実施形態を示す説明図である。
【図２】本発明のダイヤモンド形状の宝飾品の１実施形態を示す説明図である。
【図３】本発明のダイヤモンドまたはダイヤモンド形状の宝飾品の１実施形態を示すクラウンとテーブルの割合の一例を示す説明図である。
【図４】５８面体のラウンドブリリアンカットのダイヤモンドの側面図である。
【図５】５８面体のラウンドブリリアンカットのダイヤモンドの平面図である。
【図６】５８面体のラウンドブリリアンカットのダイヤモンドの底面図である。
【図７】従来の５８面体のラウンドブリリアンカットのダイヤモンドの説明図である。
【図８】本発明品以外のダイヤモンドの光の屈折と反射を示す説明図である。
【符号の説明】
【００５１】
１…ダイヤモンド
１′…ダイヤモンド形状の宝飾品
２…ガードル
３…クラウン
４…パビリオン
５…テーブル
６…スター・ファセット
７…ベゼル・ファセット
８…アッパー・ガードル・ファセット
１０…キール・ライン
１１…ロウワー・ガードル・ファセット
１２…ロウワー・メイン・ファセット
１３…キューレット
Ｌ…ガードルの直径
Ｌ1 …テーブルの径
Ｈ…ダイヤモンドの全体の高さ
Ｈ1…クラウンの高さ
Ｈ2…パビリオンの深さ
Ｗ…ガードルの厚さ
【図１】
2009142455.tif 000004
【図２】
2009142455.tif 000005
【図３】
2009142455.tif 000006
【図４】
2009142455.tif 000007
【図５】
2009142455.tif 000008
【図６】
2009142455.tif 000009
【図７】
2009142455.tif 000010
【図８】
2009142455.tif 000011